(57)【特許請求の範囲】
【請求項１】
ポーズ命令に応じて、入力されるデータをディスク媒体の所定の位置から記録し、
ポーズ再開命令に応じて、前記ディスク媒体上の第１位置で前記データの記録を一時中断するとともに、前記入力されるデータを記録バッファに蓄積し、前記記録されたデータの一部を、前記ディスク媒体上の第１位置よりも外側の第２位置から読み取り、
前記記録バッファに蓄積されたデータが所定のレベルに達したならば、前記ディスク媒体からの読み取りを中断して前記蓄積された入力データを前記ディスク媒体に記録する
ことを特徴とするレコーダブルディスク媒体の操作方法。
【請求項２】
前記データの記録は、前記ディスク媒体のスパイラルトラックに沿って、前記ディスク媒体の中心へ向かって連続的に行われることを特徴とする請求項１に記載の方法。
【請求項３】
前記ディスク媒体上に形成される複数のゾーンを形成する工程をさらに含み、前記データの記録は、前記ディスク媒体の中心に向かってゾーンごとに順次行われることを特徴とする請求項１に記載の方法。
【請求項４】
前記複数のゾーンは、前記ディスク媒体上の最外周側から最内周側に向かって区画されるゾーンであり、前記記録は、前記ディスク媒体の外周側に位置するゾーンのひとつで開始され、内周側に位置するゾーンのひとつで終了することを特徴とする請求項３に記載の方法。
【請求項５】
前記各ゾーンにおいて、記録は前記ディスク媒体のスパイラルトラックに沿って内側から外側へ向けて行われることを特徴とする請求項４に記載の方法。
【請求項６】
前記ポーズ再開命令に応じてデータの記録を一時中断する際に、ディスク媒体の回転速度は一定速度に維持されることを特徴とする請求項１に記載の方法。
【請求項７】
前記データ記録工程において、当該データの記録時と、前記ポーズ再開命令に続くデータ読み取り時の、ディスク媒体の回転速度を決定することを特徴とする請求項１に記載の方法。
【請求項８】
ポーズ命令に応じて、入力されるデータをディスク媒体上の所定の位置から記録するデータ記録部と、
ポーズ再開命令に応じて、前記ディスク媒体上の第１位置で前記データの記録を一時中断し、前記ディスク媒体に記録されたデータの一部を、前記ディスク媒体上の第１位置よりも外側の第２位置から読み取って再生するデータ再生部と
を備え、
前記データ記録部は、前記記録が一時中断されたときに前記入力されるデータを記録バッファに蓄積し、前記記録バッファに蓄積されるデータが所定のレベルに達したならば、前記データ再生部は前記ディスク媒体からの読み取りを中断して、前記データ記録部が前記蓄積された入力データを前記ディスク媒体に記録できるようにすることを特徴とするレコーダブルディスク媒体の駆動操作システム。
【請求項９】
前記データ記録部は、前記ディスク媒体のスパイラルトラックに沿って、前記ディスク媒体の中心へ向かって連続的にデータの記録を行うことを特徴とする請求項８に記載のシステム。
【請求項１０】
前記データ記録部は、前記ディスク媒体上に形成される複数のゾーンごとに、前記ディスク媒体の中心に向かうシーケンスにしたがってデータの記録を行うことを特徴とする請求項８に記載のシステム。
【請求項１１】
前記データ記録部は、前記ディスク媒体上の最外周側から最内周側に向かって複数のゾーンを形成し、前記ディスク媒体の外周側に位置するゾーンのひとつから前記データの記録を開始し、前記ディスク媒体の内周側に位置するゾーンのひとつで前記データの記録を終了することを特徴とする請求項１０に記載のシステム。
【請求項１２】
前記データ記録部は、前記各ゾーンにおいて、前記ディスク媒体のスパイラルトラックに沿って内側から外側へ向けてデータの記録を行うことを特徴とする請求項１１に記載のシステム。
【請求項１３】
前記ディスク媒体の回転速度を制御する制御ユニットをさらに備え、当該制御ユニットは、前記ポーズ再開命令に応じた記録の一時中断中に、ディスク媒体の回転速度を一定速度に維持することを特徴とする請求項８に記載のシステム。
【請求項１４】
前記ディスク媒体の回転速度を制御する制御ユニットをさらに備え、前記制御ユニットは、前記データ記録部によるデータ記録中と、前記データ再生部によるポーズ再開命令後のデータ読み取り中のディスク媒体の回転速度を決定することを特徴とする請求項８に記載のシステム。
【発明の詳細な説明】
【０００１】
【発明の背景】
技術分野
本発明は、ディジタルビデオディスク、ハードドライブ、ＭＯＤなどのディスク媒体に、ビデオ（映像）および／またはオーディオ（音声）プログラムを記録し、読み取るための改良された処理操作技術に関する。
関連技術
映像プログラムや音声プログラム、あるいはこれらの混合プログラムを記録、再生するための種々のデバイスが開発されてきた。たとえば、テープレコーダ、ビデオカセットレコーダ、レコーダブルコンパクトディスクなどである。最近ではレコーダブルディジタルビデオディスク（ＤＶＤ）が普及しており、また、ハードドライブやＭＯＤ（光磁気ディスク）も記録再生デバイスの一種である。
【０００２】
一度だけ記録が可能であり、それ以降は基本的にリードオンリーメモリとして用いられるＤＶＤは、頭文字をとってＤＶＤ−Ｒと呼ばれている。ＤＶＤ−Ｒはかつてはライトワンス（write-once）あるいはレコードワンス（record-once）とも呼ばれていた。ＤＶＤに記録、消去、再書き込みするための種々のフォーマットが存在し、ＤＶＤ−ＲＡＭ、ＤＶＤ−ＲＷ、ＤＶＤ＋ＲＷなどと呼ばれているが、現時点ではこれらの統一された規格はまだない。ＤＶＤ−ＲＡＭ、ＤＶＤ−ＲＷ、ＤＶＤ＋ＲＷは、かつてはリライタブル（rewritable）とも呼ばれていた。本明細書で、リライタブルＤＶＤ技術、リライタブル装置、リライタブル方法と言う場合は、現在使用されているすべての規格、および将来開発され得るすべての規格を包含するものとする。
【０００３】
多くの場合、映像や音声のプログラムはユーザ不在の状態で記録され、後になって時間のあるときに再生される。いわゆるプログラムの時間シフトである。あるいはまた、ユーザがある番組を録画せずに見ているときに、なんらかの理由で席を外す場合ある。従来のビデオカセットレコーダでは、ユーザが席を外す際に録画を開始できるが、見逃した部分を正しい時間シーケンスで見ようすると、その番組が終わるまで待たなければならない。さらに、放送時間によって、録画を完了するのに時間がかかりすぎることもある。この結果、中断された部分をあきらめるか、番組の大事な部分を見逃すことになる。
【０００４】
このような問題を解決するために、ＤＶＤビデオレコーダにポーズ（pause）機能を備える方法がある。たとえばポーズボタンを作動させると、通常のビデオ記録装置と同様に、受信されるビデオデータの録画を開始できる。さらに、ポーズ再開ボタンを作動させると、番組の録画をそのまま続ける一方で、録画を開始した部分に戻って記録されたビデオデータの再生を開始する。したがって、何らかの理由で番組を中断した場合でも、ユーザはその放送が終わるまで待つ必要がなく、中断から戻った時点でそのまま続きを見ることができる。
【０００５】
上述した動作で、録画と再生が同時に行われているようにも見えるが、ＤＶＤレコーダはデータの読み取りと書き込みを同時にできるわけではない。シームレスの再生を実現しようとすると、ＤＶＤレコーダはディスクへのデータの記録と、ディスクに記録したデータの読み取りの間に、なんらかの手段を必要とする。読み取りまたは書き込みに割り当てられる時間は、少なくとも一部には、ＤＶＤレコーダのデータバッファのサイズ（容量）によって決定される。このため、バッファがオーバーフローあるいはアンダーフローにならないように、常に読み取りと書き込みを切り替える必要がある。しかし、ＤＶＤレコーダは、この切り替え中にデータの読み書きを行うことはできない。読み取りと書き込を頻繁に切り替えると、読み取り工程と書き込み工程との平均ビットレートがかなり低下することになる。シームレス再生の実現には、読み取りと書き込みの平均ビットレートの高さが不可欠であることを考えると、平均ビットレートの低下は、深刻な問題である。
【０００６】
ビットレートの問題とからんで、ＤＶＤ装置は、切り替え動作による効率低下を克服するために、読み取り処理と書き込み処理をさらに高速に行う必要がでてくる。ディスクへのデータ書き込みは、基本的に熱的な方法で行われるので、書き込み速度を高めることは制限される。考えられるのは、読み取り速度の増大である。より高速の読み取りを実現するために、ポーズ機能の作動中で、ＤＶＤ装置が読み取りモードにあるときに、ディスクの回転速度を速める方法が考えられる。読み取り速度が上がれば、読み取り書き込みを合わせた平均ビットレートも上昇する。しかし、従来のＤＶＤ装置には、以下に述べるように平均ビットレートに悪影響を与える別の要因があるため、読み取り時の回転速度を上げるだけでは、シームレス再生を実現するのに不十分である。
【０００７】
所定の角速度において、ディスク外周での線速は、ディスク内周の線速よりも大きい。従来のポーズ機能付のレコーダブルＤＶＤ装置は、ディスクの内周から外周側に向けてデータの記録を行っている。したがって、データの記録中に、ＤＶＤ装置の読取／書込ヘッドがディスクの外周に向かって移動するにつれて、ディスクの角速度を落として、書き込み速度（率）を制限範囲内に維持する必要があった。
【０００８】
ＤＶＤ装置が書き込みから読み取りに移行する場合、読取／書込ヘッドは、先に記録したデータを読み取るために、ディスク内側へジャンプする。しかし、任意のディスク回転速度（ＲＰＭ）において、ディスク内側での線速は、外側での線速に比較してはるかに遅い。このため、ＤＶＤ装置が最大の読み取り速度でデータを読むためには、内側の読み取り位置でディスクの回転速度（ＲＰＭ）をかなり高めなくてはならない。逆に、書込みのために再度ディスク外側へ移動するときには、書込み速度には限界があるので、ディスクの回転速度をかなり落とす必要がある。トルクに制限のあるスピンドルモータを用いた装置では、このような角速度の変化にかなりの時間を要し、全体の読み取りデューティサイクルに悪影響が及ぶ。さらに、角速度を恒常的に変化させることによって、モータが消耗、磨耗し、消費電力の増大をもたらす。
【０００９】
大型のデータバッファを使用すると、データの一時格納スペースが十分にとれるので、バッファのオーバーフローやアンダーフローをいく分緩和することができる。この方法によれば、システムは低い平均ビットレートで動作することができるが、これだけでは、読み取りと書込みとの周期的な切り替えと、ディスク回転速度の頻繁な変更のため、シームレス再生に必要とされる平均ビットレートを維持することができない。さらに、メモリ容量が増大するため、コストが増大する。
発明の概要
本発明は、レコーダブルディスク装置において、ビデオ表示のポーズ機能を改良するデータの記録再生方法を提供する。ひとつの側面では、レコーダブルディスク媒体の操作方法は、ポーズ命令に応じて、ディスク媒体上の所定の位置からビデオデータ等の入力データを記録する工程と、ポーズ再開命令に応じて、ディスク媒体上の第１位置で記録動作を一時中断し、第１位置より外側の第２位置から記録したビデオデータの一部を読み取る工程とを含む。
【００１０】
別の側面では、改良されたポーズ機能付きのレコーダブルディスクシステムを提供する。このシステムは、ポーズ命令に応じてディスクの所定の記録位置でビデオデータ等の入力データを記録するディスクレコーダ（記録部）と、ポーズ再開命令に応じて、ディスク媒体の第１位置で記録動作を一時中断し、第１位置より外側の第２位置から、記録したデータの一部を読み取って再生するディスクプレーヤ（再生部）とを含む。
【００１１】
上述した方法およびシステムでは、ディスクへのデータの記録は、スパイラルトラックに沿ってディスク中央に向かって連続的に行われてもよいし、別の例では、記録はディスク上の複数のゾーンごとに、ディスク中央に向かって順次行う構成としてもよい。複数のゾーンは最外側から最内側に向かってスパイラルトラックに沿って区画され、記録は、外側のゾーンのひとつで開始され、内側のゾーンのひとつで終了する。一方、各ゾーン内での記録は、ディスクのスパイラルトラックに沿って内側から外側へ向けて行われる。
【００１２】
ポーズ再開命令によって記録動作が一時中断される時に、ディスク媒体の回転速度は好ましくは一定速度に維持される。あるいは、データ記録の工程において、その記録時のディスク媒体の回転速度と、ポーズ再開命令に続く読み取り工程でのディスク媒体の回転速度を決定する構成としてもよい。
発明の実施の形態
レコーダブルＤＶＤ装置
図１は、本発明の一実施形態に係る、リライタブルディスク媒体１０２を操作するＤＶＤ装置１００のブロック図である。このＤＶＤ装置１００は、リライタブルディスク１０２の読出し、書込みに関し、種々の改良された操作特性を有する。図１に示す例では、ディスク媒体１０２は、リライタブルＤＶＤであるが、ハードドライブであっても、ミニディスク等のＭＯＤ（磁気光ディスク）であってもよい。またデータの読み取り、書き込みに関しては、ビデオ（映像）データであってもオーディオ（音声）データであってもよい。
【００１３】
ＤＶＤ装置１００は、リライタブルＤＶＤ１０２に対するデータの書込み、読み取りが可能であり、メカニカルアセンブリ１０４、制御部１２０、ビデオ／オーディオ入力処理パス１４０、およびビデオ／オーディオ出力パス１７０を備える。これらのブロックの他セクションあるいは他パスへの割り当ては当業者にとって自明である。また、説明の便宜上図示してあるが、本発明によるＤＶＤ装置の動作と直接関係しないブロックも含まれる。
【００１４】
メカニカルアセンブリ１０４は、ＤＶＤ１０２を回転させるモータ１０６と、回転するディスク上を移動できるピックアップアセンブリ１０８とを含む。ピックアップアセンブリ１０８のレーザは、記録時にはディスク１０２のスパイラルトラック上に映像および／または音声データに対応するスポットを形成し、再生時は、形成されたスポットを照射して記録されたデータを読み取る。ディスクが片面記録方式か両面記録方式か、あるいは、両面記録であった場合に、ディスクからの読み取りは同じ面から読み取るのか両方の面から読み取るのかは、本発明とは無関係であり、いずれにも適用可能である。ピックアップ１０８とモータ１０６は、サーボ１１０によって制御される。サーボ１１０は、第１の入力としてディスク１０２のスパイラルトラックから読み取られるデータの再生信号を受け取る。この再生信号は、同時にエラー補正回路１３０にも送られる。エラー補正回路は、制御部１２０の一部、あるいはビデオ／オーディオ出力パス１７０の一部に含まれる。
【００１５】
制御部１２０は、制御ＣＰＵ（中央演算ユニット）１２２と、ナビゲーションデータ生成回路１２６を含む。ナビゲーションデータ生成回路１２６は、第１入力として制御ＣＰＵ１２２から供給される信号と、第２入力としてサーボ１１０から供給される信号を受け取る。サーボ１１０を、制御部１２０の一部とみなすことも可能である。ナビゲーションデータ生成回路１２６は、制御ＣＰＵ１２２から受け取った第１入力をマルチプレクサ（ＭＵＸ）１５４に供給する。マルチプレクサ１５４は、ビデオ／オーディオ入力処理パス１４０の一部である。
【００１６】
マルチプレクサ１５４の出力は、エラー補正符号化回路１２８に供給される。エラー補正符号化回路１２８の出力は、レコーダブル入力信号としてピックアップ１０８に送られ、この入力信号はレーザ（不図示）によって、ディスク１０２のスパイラルトラック上に焼き付けられる。
【００１７】
制御ＣＰＵ１２２はまた、トラックバッファ１７２と記録バッファ１５２にそれぞれ格納されるデータにアクセス可能である。すなわち、制御ＣＰＵ１２２は、トラックバッファ１７２および記録バッファ１５４に格納されたビデオデータを消去、変更、再フォーマットすることができる。制御ＣＰＵ１２２はまた、ビデオエンコーダ１４４とオーディオエンコーダ１４８の動作を制御するための制御機能およびデータインターフェイス機能を有するのが好ましい。制御ＣＰＵ１２２が実行する一般的な処理動作については、メモリ中に適切なソフトウェアあるいはファームウェアを設けてやればよい。
【００１８】
第１の制御バッファ１３２は、ユーザによって操作可能な機能を有し、図１の例では、再生、記録、巻き戻し、早送り、ポーズ／再生、停止などを有する。第２の制御バッファ１３６は、アドバンス処理バッファであり、本発明のアドバンス処理を実行するためのユーザコマンドを受け取り、それを制御ＣＰＵ１２２に送る。ユーザはたとえば、制御バッファ１３６を介して以下で述べる特別ポーズ機能にアクセスすることができる。
【００１９】
ビデオ／オーディオ入力処理パス１４０は、ＮＴＳＣやＰＡＬといった一般的なテレビ信号を、ＤＶＤ装置１００のディジタル記録用のディジタルパケットデータ（たとえばＭＰＥＧ−１、ＭＰＥＧ−２など）に変換する信号処理回路である。入力処理パス１４０は、映像入力用のＮＴＳＣでコーダ１４２およびビデオデコーダ（ＭＰＥＧ−１、ＭＰＥＧ−２など）１４４と、音声入力用のＡ／Ｄコンバータ１４６およびオーディオエンコーダ（ＭＰＥＧ−１、ＭＰＥＧ−２など）１４８を含む。これらの入力映像および入力音声に関するディジタル信号はマルチプレクサ１５０で結合され、パケット全体が構成されるまで記録バッファ１５２に格納される。一群のオーディオおよびビデオデータパケットが生成されると、これらのデータパケットは、マルチプレクサ１５４において、ナビゲーションデータ生成部１２６で生成された適切なナビゲーションパケットと結合される。結合されたパケットは、エラー補正符号化回路１２８に送られる。エラー補正符号化回路１２８もまた、入力処理パス１４０の一部とみなし得る。
【００２０】
一方、ビデオ／オーディオ出力処理パス１７０は、エラー補正部１３０と、トラックバッファ（あるいは出力バッファ）１７２を含む。ディスクから読み取られたデータは、以降の処理のためトラックバッファ１７２でパケットに生成され、パケットは条件付アクセス回路１７４に送られる。条件付アクセス回路１７４は、パケットがデマルチプレクサ（ＤＥＭＵＸ）１７６を介して、映像処理と音声処理のそれぞれのパスに伝播するようにパケット伝播を制御する。
【００２１】
すなわち、ビデオ信号はパケットビデオデコーダ１７８で、たとえばＰＭＥＧ−１あるいはＭＰＥＧ−２から復号され、ＮＴＳＣやＰＡＬといった一般的なテレビ信号に符号化される。オーディオ信号は、オーディオデコーダ１８２でたとえばＭＰＥＧ−１、ＭＰＥＧ−２から復号され、Ｄ／Ａコンバータ１８４でアナログ信号に変換される。
【００２２】
なお、本発明は、ハードウエアによっても、ソフトウェアによっても、あるいはハードウエアとソフトウェアの組み合わせによっても実現可能である。また、本発明に用いられる自動読み取り可能な記憶媒体は、たとえば制御ＣＰＵ１２２のようなひとつのコンピュータシステムによって集中的に実現されてもよいし、相互接続された複数のコンピュータシステム間にわたって散在する構成要素によって分散的に実現されてもよい。また、本発明の制御処理方法を実現するのに適切な任意のコンピュータシステムあるいは装置を用いてもよい。
【００２３】
特に、図１では、制御ＣＰＵ１２２により実現されるものとして図示しているが、ハードウエアとソフトウェアの典型的な組み合わせとして、汎用コンピュータシステムと、この汎用コンピュータシステムにロードされて、図１の制御部１２０に類似するコンピュータシステムやＤＶＤ記録システムを制御するコンピュータプログラムとの組み合わせが考えられる。本発明はまた、任意のコンピュータにロードされたときに、以下で述べる制御処理方法を実行するためのすべての機能を有するコンピュータプログラムプロダクトとして実現することも可能である。
【００２４】
本明細書中でコンピュータプログラムと言うときは、情報処理機能を有するシステムに特定の機能を直接実行させる任意の言語、コード、ノーテーション、命令列で表現されるものを意味する。あるいは、（ａ）別の言語、コード、ノーテーションへの変換および／または（ｂ）別の媒体形式への複製の後に、システムに意図された機能を実行させる任意の言語等で表現されてもよい。さらに、上述した制御ＣＰＵ１２２と互換性のあるオペレーティングシステムの市販の開発ツールを用いて、プログラマによってプログラムされたものであってもよい。
ＤＶＤ媒体
本発明の一実施形態として、映像あるいは音声のプログラムはリライタブルＤＶＤディスクに記録され、再生される例をとって説明するが、本発明がリライタブルＤＶＤに限定されるものではないことは、当業者にとって明らかである。ディスク外周側から内周側に向かう記録方式を採用する本発明のポーズ機能は、ＤＶＤ−ＲやＤＶＤ−ＲＷを含む任意の種類のディスク媒体に適用され得る。
【００２５】
図２は、リライタブルＤＶＤディスク１２０のスパイラルトラックを示す。ディスク１０２は、円形の平坦なプラスチック円盤１２で構成され、たとえば、接着層を介して２枚の基板を張り合わせて厚さ１．２ｍｍのディスクに形成したものである。中央の穴１４は、図１のモータ１０６のグリップ部がディスク１０２と確実に嵌合して、ディスクの角速度を制御できるように形成されている。書き込み（記録）および読み取り時におけるディスクの回転方向は本発明のとって重要なことではないので、ＤＶＤ装置１００は、ＤＶＤディスク１０２を時計方向にも反時計方向にも回転することができる。
【００２６】
従来のレコーダブルディスク媒体では、記録の方向は通常、ディスク中央側からスパイラルトラックに沿って外周に向けて行われる。一方、本発明の一実施形態では、ディスク１０２への記録はスパイラルトラック１６に沿って外周側から内周側に向けて行われる。図中、ドット（…）はトラック１６が連続して存在することを示す。したがって、スパイラストラック１６はディスク１０２の周縁近くの四角マーク１８の位置から開始し、ディスク中央付近のひし形マーク２０で終わる。
【００２７】
あるいは別の実施形態では、スパイラルトラック１６は後述するように、ゾーンに分割され、最も外側のゾーンから最も内側のゾーンに向かって記録される。いずれの実施形態においても、スパイラルトラック１６は図示しないが、媒体のインデックスを収容するための横方向のウォーブル（wobble）を有する構成としてもよい。なお、図示の便宜上、スパイラルトラック１６の一部のみを拡大図示してある。
【００２８】
スパイラル（らせん）を構成するほぼ円形の同心円をトラックと呼ぶ場合もあるが、必ずしもこの用法に限られるわけではない。たとえばＣＤＲＯＭの場合、トラックという用語はスパイラルトラックの中の、単一の楽曲を含む部分を意味するが、この用語がＤＶＤに適用されることも、適用されない場合もある。
ポーズ機能による外周側から内周側への記録
ポーズ機能付きのレコーダブルディスク装置は、入力データのディスクへの記録と、先にディスク上に記録した部分の再生とをほぼ同時に行わなければならない。入力データは映像（ビデオ）、音声（オーディオ）、あるいはこれらの結合データのいずれも含むが、本発明のレコーダブルディスク装置もまた、任意のデータの記録および再生が可能である。ポーズ機能の実行時には、レコーダブルディスク装置は入力データのディスクへの書き込みを周期的に中断して、ディスクに記録されたデータの一部を読み取って再生する。実施形態では、レコーダブルＤＶＤ装置を例にとって説明するが、本発明はどのようなディスク媒体にも適用できる。
【００２９】
従来のレコーダブルＤＶＤ装置は、ディスクの中心側からデータの記録を開始し、ディスク外周側に向かって記録を行っていた。したがって、従来のＤＶＤ装置でポーズ機能が実行されると、データ読み取り時には、読取／書込ヘッドが内側のトラックへ移動する。ＤＶＤ装置は、読み取りの間、ディスクの回転速度を一定に保つように設計されている場合もあるが、読み取り中は回転速度を徐々に上げ、次いで、次の書き込み工程を見越して減速するように設計される場合もある。
【００３０】
前者の場合、ディスク回転速度が常に一定なので、読み取り速度が遅すぎてバッファがアンダーフローになりがちである。これは、読み取りがなされているディスク内周側の線速は、直前に書き込みがなされていたディスク外周の線速に比較してかなり低いことに起因する。この結果、読み取り、書き込みを合わせた平均ビットレートが低下する。本明細書において、結合平均ビットレートと言う場合は、読み取りプロセスのビットレートと書き込みプロセスのビットレートを平均したものを意味する。
【００３１】
一方、後者のようにディスクの回転速度（ＲＰＭ）を変更すると、結合平均ビットレートを高く維持することができるが、常にディスクを加速、減速するのでモータの磨耗がはげしく、電力消費量も増大する。本発明では、ディスクの外周側から書き込み（記録）を開始し、内側へ向けて記録を続けることにより、従来の欠点を克服し、実質的にディスクの回転速度を変えることなく、結合平均ビットレートを十分に高く維持する。ディスク外側から中心部へ向けて記録を行うことにより、レコーダブルＤＶＤ装置が書き込んだデータを読み取るために読み取り位置に戻ると、ディスクの回転速度を実質的に変更しなくても、必然的に速い読み取り速度で読み取りが開始されることになる。図３〜５は、このような書き込み、読み取り工程を示す。
【００３２】
図３に示すように、レコーダブルＤＶＤ装置がポーズ命令を受け取ると、ピックアップアセンブリ１０８がディスク１０２の所定の位置へ移動し、ＤＶＤ装置は、データの書き込み（記録）を開始する。データの書き込みは、ディスクの外周側からディスク中心へ向けて行われる。図３〜５の例では、スパイラルトラック１６の外周部分２２から記録が開始され、内周部分２４で記録が完了する。この間、ピックアップアセンブリ１０８は、外周位置２２から内周位置２４に向かってスパイラルトラック１６に沿って移動する。一実施形態では、書き込み中にピックアップアセンブリ１０８がスパイラルトラック１６に沿って内周に向けて移動する間、ＤＶＤ装置はディスク１０２の回転速度（ＲＰＭ）を徐々に上げる。ピックアップアセンブリ１０８がディスク中心に移動するまでディスクの回転速度を連続的に上げていくことにより、ＤＶＤ装置は一定の書き込み速度でディスク１０２にデータを記録することができる。書き込みプロセスにおいて、入力データは通常５．５Ｍｂ／ｓで受け取られるが、この受信ビットレートを変えてもよい。通常、入力データがディスク１０２に書き込まれるときは、図３に示すように記録バッファ１５２を通過するだけである。したがって、ポーズ機能が実行されている間、記録バッファ１５２は空に近い状態である。また、書き込み中に読み取り動作は行われないので、トラックバッファ１７２に対するデータの出入りはない。
【００３３】
次に、ＤＶＤ装置はポーズ再開命令を受け取ると、図４に示すように、データの書き込み動作を、たとえば、スパイラルトラックの内周位置２４で一時的に中断し、記録したデータの読み出しにそなえる。書き込みを中断する間、記録バッファ１５２は入力されてくるデータを蓄積する。その後、ＤＶＤ装置はピックアップアセンブリ１０８を、先にデータの書き込みが開始された位置（すなわちディスク１０２の外周位置２２）に移動させる。読み取りプロセスへの移行およびそれに引き続く読み取り動作中に、ＤＶＤ装置はディスク１０２の回転速度を変更しないのが好ましい。すなわち、先の書き込み動作終了時の回転速度（ＲＰＭ）のままで読み取りが行われる。この場合、スパイラルトラック１６の外周位置２２におけるデータ読み取り時のディスク回転速度（ＲＰＭ）は、内周位置２４におけるデータ書き込み時の回転速度に等しくなる。
【００３４】
ピックアップアセンブリ１０８は読み取りのために、すでにディスク１０２の外周端に移動しており、外周位置２２での線速は、内周位置２４での線速よりも大きい。ディスクの線速が大きいということは、ディスク１０２の回転速度（ＲＰＭ）を実質的に変更しなくても、ＤＶＤ装置はより早い読み取り速度でデータを読み取ることができる。もっとも、読み取り中のディスク１０２の回転速度は、先の書き込み工程で維持されていた回転速度に制限されるわけではなく、必要に応じて読み取り中の回転速度を変更することも可能である。
【００３５】
ＤＶＤ装置が先に記録したデータの読み出しを開始すると、読み出されたデータはトラックバッファ１７２に送られる。データは通常５．５Ｍｂ／ｓでトラックバッファ１７２から出力されるが、これ以上のビットレートで読み出しを行ってもかまわない。読み出しビットレートを高めた場合、トラックバッファ１７２は、ディスク１０２から出力ビットレートを超える分の読み出しデータを蓄積する。トラックバッファ１７２に蓄積されたデータは、ピックアップアセンブリ１０８がディスクからの読み取り動作を終了した後も引き続き復号され、表示される。
【００３６】
次に、図５に示すように、記録バッファ１５２中のデータ量が所定レベルに達したならば、ＤＶＤ装置は上述した読み取りプロセスを中断する。この読み取り中断にともなって、トラックバッファ１７２への読み取りデータの供給も中断されるので、トラックバッファ１７２に蓄積されたデータ量は減少し始める。ＤＶＤ装置はピックアップアセンブリ１０８を、読み取りが行われた場所（たとえば外周位置２２）から、前回の書き込みが中断された位置（たとえば内周位置２４）に移動させる。
【００３７】
ピックアップアセンブリが読み取り位置から次の書き込み位置に移動する際も、ディスク１０２の回転速度（ＲＰＭ）は変更しないことが好ましい。この場合、ＤＶＤ装置が、前回の書き込み終了位置から引き続いてデータの書き込みを行うときに、ディスク１０２の回転速度も、前回の書き込みにおいて、この位置で到達した回転速度と等しくなる。すなわち、ピックアップアセンブリ１０８が次の書き込みのためにスパイラルトラック１６の内周位置２４に移動したときに、ディスク１０２はすでに固定された記録速度（レート）に適合する回転速度で回転していることになる。したがって、ＤＶＤ装置はディスク内周で書き込みを始める前に、再度ディスク１０２の回転速度を調整する必要はない。もっとも本発明はこのような実施形態に限定されるわけではなく、読み取り中にディスクの回転速度を変更することが望ましい場合は、変更可能である。
【００３８】
ＤＶＤ装置は、記録バッファ１５２に蓄積されていた入力データをディスク１０２に書き込む。書き込みは、トラックバッファ１７２に蓄積された読み取りデータ量が所定レベルに低減するまで続けられる。トラックバッファ１７２内のデータ量が所定レベルまで低減したならば、ＤＶＤ装置は書き込み動作を再度中断して、ピックアップアセンブリ１０８を先の読み取り工程における最後の読み取り位置まで移動させ、ディスク１０２からデータを読み取る。ＤＶＤ装置がこのように読み取りと記録（書き込み）を交互に行う間、好ましくは、ディスク１０２の角速度を書き込みに必要とされる回転速度に維持する。読み取りと書き込みを繰り返すプロセスは、ユーザがポーズ再開モードを終了するまで続けられる。
【００３９】
図６は、このようにディスクの外周側から内周側に向けて連続的にデータ記録を行うとともに、記録動作を一時中断して記録したデータ済みのデータを読み取る処理フローを示すフローチャートである。まず、ステップ６０２で、たとえばアドバンス処理バッファ１３６を介してポーズ命令を受け取とることによって、プロセスが開始される。ステップ６０４で、ＤＶＤ装置は図３に示したようにディスク１０２上の所定位置で記録を開始する。記録の開始位置はユーザによって決定されてもよいし、ＤＶＤ装置が未使用の空きスペースの任意の位置で開始するようにしてもよい。ＤＶＤ装置はディスク１０２の外周側で記録を開始し、スパイラルトラック１６に沿ってディスク内周に向けて記録を進める。入力データの記録は、ステップ６０６でＤＶＤ装置がポーズ再開命令を受け取るまで継続される。
【００４０】
ステップ６０６でポーズ再開命令を受け取ったならば、ステップ６０８においてＤＶＤ装置は記録動作を一時中断し、入力されるデータを記録バッファ１５２に格納する。記録バッファ１５２に格納された入力データは、次の書き込み工程でディスク１０２に記録されることになる。ステップ６１０で、ピックアップアセンブリ１０８は、先の工程で記録が開始されたディスク外周位置へ戻り、ディスク回転速度はそのままでデータの読み取りを開始する。ステップ６１２で、ディスク外周側の線速は、内周側の線速に比較して速いので、ＤＶＤ装置は先の書き込み速度（率）よりも高い読み取り速度（率）で、ディスクに記録されたデータを読み取る。読み取られたデータはトラックバッファ１７２に格納される。
【００４１】
ステップ６１４で、ＤＶＤ装置は記録バッファ１５２に蓄積される入力データが所定レベルに達するまで読み取り動作を継続する。所定レベルは、たとえばバッファ１５２の最大容量あるいはその近傍である。バッファ１５２内の入力データ量が所定レベルに達したならば（ステップ６１４でＹＥＳ判定）、ステップ６１６でＤＶＤ装置は読み取りを一時中断するが、トラックバッファ１７２に蓄積された読み取りデータは、継続して表示される。ステップ６１８で、ピックアップアセンブリ１０８は、先の工程で書き込みが中断されたディスク内周位置へ再度移動し、書き込みを開始する。ピックアップアセンブリ１０８の移動時にも、ディスク１０２は回転速度を一定に維持する。ディスク内周側の線速は、すでに先の書き込み工程おけるこの位置での書き込み率に適した速度になっているので、ＤＶＤ装置はディスク１０２の回転速度（ＲＰＭ）を変更する必要はない。
【００４２】
ステップ６２０で、ＤＶＤ装置はトラックバッファ１７２のデータ量が所定レベル（たとえばほとんど空に近い状態）に低減するまで、ディスク内周位置から開始された書き込みを継続する。ステップ６２２において、ユーザがポーズ再開モードを終了するか否かを判断する。読み取りと書き込みを繰り返して行うポーズ再開モードの終了命令がない場合（ステップ６２２でＮＯ）は、ステップ６０８へ戻り、さらに読み取り動作と書き込み動作を繰り返す。トラックバッファ１７２のデータ量が低減し（ステップ６２０でＹＥＳ）、かつポーズ再開モードの終了命令があった場合（ステップ６２２でＹＥＳ）は、ステップ６２４でポーズ再開モードを終了して、ＤＶＤ装置は残りのデータを記録する。
【００４３】
この方法により、ＤＶＤ装置はディスク１０２の回転速度（ＲＰＭ）を変えることなく、高い読み取り率でデータを読み取ることが可能になる。読み取り速度（率）を高くすることによって、結合平均ビットレートも増大する。また、ＤＶＤ装置は、読み取りと書き込みの遷移時に、ディスク１０２の回転速度（ＲＰＭ）を変える必要がないので、ディスクを加速あるいは減速するのに必要な時間を解消し、結合平均ビットレートをさらに向上することができる。ディスクの回転速度（ＲＰＭ）をほぼ一定に維持することによって、消費電力も低減し、スピンドルモータの磨耗、破損も防止できる。
【００４４】
このように、スパイラルトラックに沿ってデータを内周方向に記録することによって多くの効果が期待できるが、従来のＤＶＤディスクは、そもそも中心側から外周に向けてデータを記録するようにフォーマットされているので、上述したディスク外周から内周へ向けてのデータ記録に適さない。そこで、本発明の第２実施形態として、従来のＤＶＤディスクを用いて外周側から内周側へデータを記録する方法を提供する。
【００４５】
第２実施形態では、ディスク上にデータを記録するためのゾーンを、外周端から中心に向かって順次形成する。図７〜９は、このようなゾーン単位でのデータ記録方式を示す。
【００４６】
図７において、ＤＶＤ装置がポーズ命令を受け取ったならば、ピックアップアセンブリ１０８をディスク１０２上の所定位置に移動し、そこからスパイラルトラック１６に沿って入力データの書き込みを開始する。この書き込みは、外周ゾーンから始められるが、このゾーン内においては、記録はたとえば書き込み位置２６から外周側へ向かって行われる。
【００４７】
ＤＶＤ装置は、スパイラルトラック１６に沿って所定の時間だけ記録を行う。このような所定時間を定めることによって、ディスク１０２を多数の記録セクションに分割することができる。各記録セクションの物理長は、所定時間の長さに直接比例し、任意の時間を設定することができる。所定時間だけデータが記録されるスパイラルトラック１６上の長さを、ゾーンと称する。
【００４８】
たとえば、書き込み位置２６から２秒間だけ外側へ向かって書き込みを行う。２秒後、書き込みをディスク上の終了位置２８でいったん停止する。この書き込み位置２６から終了位置２８までの区間がゾーンであり、図７ではゾーンＡとして図示される。第１ゾーンの書き込みが完了したら、第１ゾーンのすぐ内側に第２ゾーンを生成する。第２ゾーンもスパイラルゾーン１６の一部であり、その最外端で先の記録位置につながる。ＤＶＤ装置は、第２ゾーンの開始位置から外側へ向かって、第１ゾーンと同じ時間だけデータを記録する。これによって、第１ゾーンの記録開始位置で、第２ゾーンの記録が終了する。第２ゾーンでのデータ記録が完了したならば、第２ゾーンのすぐ内側に第３ゾーンを生成し、次にポーズ命令あるいはポーズ再開命令があるまで、内側へ向かうゾーンの生成およびゾーン内でのデータ記録を繰り返す。
【００４９】
図７の例では、第１ゾーンＡの最外端２８でゾーンＡの記録が完了し、ピックアップアセンブリ１０８は、ディスク上の内側の位置３０へ移動する。そして、位置３０から、ゾーンＡで先に記録を開始した位置２６に向けて、２秒間、スパイラルトラック１６に沿って書き込みを続ける。内側の位置３０から外側の位置２６までが第２ゾーンＢである。ゾーンＢでの記録が完了したら、ピックアップアセンブリ１０８は、さらに内側のゾーンの開始位置として位置３２へ移動し、第３のゾーンを生成する。上述したように、記録動作が継続する限り、内側方向へのゾーンの生成を続ける。
【００５０】
このプロセスにおいて、ＤＶＤ装置はディスク１０２の回転速度をモニタし、書き込みが適正な速度で行われていることを確認する。たとえば、ゾーンＡで位置２６から外側に向けて記録を行う場合、必要であればディスク１０２の回転速度（ＲＰＭ）を低減して一定の書き込み率で行われるようにする。逆に、ピックアップアセンブリ１０８がゾーンＡの最外端２８から内側ゾーンＢの開始位置３０に移動した場合は、必要であればディスク１０２の回転速度（ＲＰＭ）を上げて、適正な書き込み率で記録が行われることを保証する。そして、ゾーンＡと同様にゾーンＢにおいても、スパイラルトラック１６に沿って外側に向かう書き込み中に、ディスクの回転速度を徐々に低減してもよい。
【００５１】
ＤＶＤ装置において、ディスク１０２へのデータの書き込み中、入力データは一般に５．５Ｍｂ／ｓで受信されるが、このビットレートを変更することも可能である。入力データはディスク１０２に記録される場合は、通常は記録バッファ１５２を通過するだけである。したがって、ポーズ機能が実行される間、記録バッファ１５２は、ほとんど空の状態である。また、この間、読み取り動作も行われていないので、トラックバッファ１７２に対するデータの出入りはない。
【００５２】
図８に移って、ＤＶＤ装置がポーズ再開命令を受け取ると、現在のゾーンへのデータ書き込みを一時中断し、読み取りに備える。たとえば、最も内側のゾーンＦで書き込みを中断する。書き込み中断後、記録バッファ１５２は入力データの蓄積を行う。ピックアップアセンブリ１０８は、最も外側のゾーンＡへ移動して位置２６から読み取りを開始する。
【００５３】
書き込みから読み取りへの移行中、および読み取り期間中、ＤＶＤ装置はディスク１０２の回転速度（ＲＰＭ）を変更しないのが好ましい。この場合、ＤＶＤ装置が最外側ゾーンＡでデータ読み取りを行う際のディスク回転速度は、直前の工程で最内側のゾーンＦに書き込みを行っていたときの回転速度に等しくなる。ピックアップアセンブリ１０２は、ディスク１０２の外側エッジにすでに移動しており、ゾーンＡでのディスクの線速は、ゾーンＦでの線速に比較して速い。線速が速くなるということは、ＤＶＤ装置はディスク１０２の回転速度（ＲＰＭ）を増大させなくても、より高い読み取り率でデータを読み取ることができる。もっとも、先の記録工程で一定に維持されていたディスク回転速度を、必ずしも次の読み取り工程においても維持する必要はなく、必要であれば、読み取り中にディスク１０２の回転速度を変更してもよい。
【００５４】
ＤＶＤ装置が先に記録されたデータを最外側のゾーンから読み出すと、読み出されたデータはトラックバッファ１７２に送られる。一般に、トラックバッファからのデータ送出速度は５．５Ｍｂ／ｓであるが、これ以上の読み出し速度でディスクからデータを読み出してもよい。その場合は、トラックバッファ１７２は余剰分の読み出しデータを蓄積していく。トラックバッファ１７２内に蓄積されたデータは、ピックアップアセンブリ１０８がディスクからのデータの読み出しを中断して次の書き込みに備えた後も、継続して表示される。
【００５５】
図９では、ディスクからのデータの読み出し中に、記録バッファ１５２内に蓄積された入力データが所定のレベルに達し、外側のゾーンＡでの読み取り動作を一時中断する。トラックバッファ１７２は、ディスク１０２から読み取られるデータの供給がなくなるので、蓄積されていたデータ量がここから徐々に減少してゆくことになる。ＤＶＤ装置は、ピックアップアセンブリ１０８を先に記録が終了した内側のゾーンＦを移動させ、ディスクへの入力データの記録を再開する。ゾーンＦ内では、データは内周から外周へ向かって記録される。
【００５６】
ピックアップアセンブリを外側ゾーンの読み取り位置から内側ゾーンの記録位置へ移動させる間、ディスク１０２の回転速度（ＲＰＭ）を変更しないことが望ましい。この場合、前回の書き込みが行われた内側ゾーンでデータの記録を開始する際に、ディスク１０２の回転速度（ＲＰＭ）は、前回の書き込み工程でこの位置における回転速度に等しくなる。したがって、ピックアップアセンブリ１０８が最内側ゾーンＦに移動してきたときに、ディスク１０２はすでにこの位置での最大書き込み率に応じた適正な回転速度になっている。ＤＶＤ装置はゾーンＦで書き込みを開始するために新たにディスク１０２の角速度を設定する必要はない。もっとも、読み取り中にディスク１０２の回転速度を変えるのが望ましい場合には、変更してもよい。
【００５７】
ＤＶＤ装置は、内側ゾーンにおいて、記録バッファ１５２に蓄積されていた入力データをディスク１０２に書き込み始める。この書き込みは、トラックバッファ１７２内に蓄積されていたデータが所定レベルに低減するまで行われる。トラックバッファ１７２内のデータが所定レベルまで低減したならば、再度書き込みを中断し、ピックアップアセンブリ１０８を外側ゾーンの読み取り位置に移動させる。そして、ディスク１０２上で前回の読み取りが終了した位置から、データの読み取りを行う。ＤＶＤ装置がこのように読み取りと書き込みを交互に繰り返す間、ディスク１０２の角速度を、書き込みに必要な回転速度に維持しておくのが好ましい。
【００５８】
ＤＶＤ装置がポーズ再開モードにある間は、ディスク１０２へのデータの記録を行うので、ディスク１０２上にデータを書き込むためのゾーンを順次、生成してゆく。新たなゾーンへの書き込みが完了したならば、ディスクの内側へジャンプして、さらに次のゾーンを生成する。ポーズ再開モードにおいて、あるゾーン内での各書き込み工程に費やされた時間の合計が、前述した所定の時間に等しくなったときに、そのゾーンの書き込みが完了する。たとえば、ＤＶＤ装置は、ゾーンＦ内での各書き込み工程の持続時間をモニタし、これら書き込み工程の持続時間の合計が、あらかじめ定められた時間と等しくなったときに、ゾーンＦの書き込みが完了したものと判断して、ピックアップアセンブリ１０８をさらに内側の所定位置に移動させる。このような時間に基づく制御の他に、物理的なトラック長さによってゾーンの範囲を決定してもよい。
【００５９】
同様に読み出し時にも、ＤＶＤ装置があるゾーンから、記録されたデータをすべて読み取ったならば、ピックアップアセンブリ１０８はひとつ内側のゾーンに移動し、そのゾーンからのデータの読み取りを続ける。たとえば、外周側のゾーンＡでの読み取りを完了したならば、ピックアップアセンブリ１０８は内周側の読み取り位置３０へ移動し、ゾーンＢでのデータ読み取りを開始する。このようなゾーン単位でのデータの読み取り、書き込みの繰り返しは、ユーザがポーズ再開モードを終了するまで続けられる。
【００６０】
図１０Ａおよび１０Ｂは、第２実施形態に係るゾーンシーケンスにしたがったポーズ機能の動作フローを示す。上述したように、第２実施形態では、ディスク１０２の外側ゾーンから内側ゾーンに向かって順次データを書き込くとともに、周期的に書き込みを中断して、記録したデータをディスク１０２から読み取る。
【００６１】
まずステップ１００２で、ポーズ命令を、たとえばアドバンス処理バッファ１３６を介して受け取る。ステップ１００４で、図７に示したようにディスク１０２の所定位置でデータの記録を開始する。この所定の開始位置はユーザによって指定されてもよいし、ＤＶＤ装置が自動的に使用可能な空きスペースから記録を開始する構成としてもよい。このときの書き込みは、選択された位置からスパイラルトラック１６に沿ってディスク１０２の外周側へ向かって行われ、ゾーンが生成されてゆく。書き込みは、ステップ１００６で最初（第１）のゾーンが完了するまで続けられる。
【００６２】
第１ゾーンが完了したならば（ステップ１００６でＹＥＳ判定）、ステップ１００８でピックアップアセンブリ１０８がディスク１０２の内側へ移動して、第２のゾーンの生成を開始する。第２ゾーンは、最初に生成したゾーンのすぐ内側に位置するのが好ましい。ステップ１０１０で、第２ゾーンでのデータの記録をディスクの外周側へ向かって行う。データ記録は、ポーズ再開命令が発せられないかぎり、第２ゾーンの生成が完了するまで続けられ、第２ゾーンが完了したならば（ステップ１０１０でＹＥＳ）、ステップ１００８へ戻って、さらに次のゾーンが生成される。この間、ＤＶＤ装置はディスク１０２の回転速度を常にモニタし、データの記録が適正な速度で行われるように必要であればディスクの回転速度を調整する。
【００６３】
ステップ１０１２で、ゾーンでの書き込み中にポーズ再開命令を受け取ったならば（ステップ１０１２でＹＥＳ）、ＤＶＤ装置はステップ１０１４で記録動作を一時中断して、入力されるデータを記録バッファ１５２に格納する。バッファ１５２に蓄積されるデータは、次の書き込み工程で記録されることになる。ステップ１０１６で、ピックアップアセンブリ１０８を、最初の書き込みが行われた外側のゾーンに移動させ、ディスク１０２の回転速度はそのままで、読み取りを開始する。ディスクの回転速度は一定でも、外周側での線速は内側に比べて大きいので、ステップ１０１８において、ＤＶＤ装置は、直前の書き込み速度を超える読み取り速度で、データを読み取ることができる。読み取ったデータはトラックバッファ１７２へ供給される。
【００６４】
ディスク１０２からのデータの読み取り動作は、ステップ１０２０で記録バッファ１５２内の入力データが所定レベルに達するまで続けられる。所定レベルは、たとえばバッファ１５２の最大容量あるいはその近傍に達したか否かで判断される。ステップ１０２２で、記録バッファ１５２が所定レベルに達する前に外側ゾーンでのデータの読み取りを完了した場合は（ステップ１０２２でＹＥＳ）、ステップ１０２４に進み、ピックアップアセンブリをひとつ内側のゾーンへ移動する。さらにステップ１０１８へ戻って、新たなゾーンから引き続いてデータを読み取る。このひとつ内側のゾーンも、最後に記録が行われた位置に比較してなおディスクの外周寄りであるので、ここでも、ディスク１０２の回転速度を変更することなく、書き込み速度に比較して十分に大きい読み取り速度でデータを読み取ることができる。
【００６５】
ステップ１０２０において、ゾーン内での読み取りが完了する前に記録バッファ１５２が所定レベルに達した場合は（ステップ１０２０でＹＥＳ）、図１０Ｂのステップ１０２６に進んで、このゾーンでの読み取りを中断する。ディスクからの読み取りは中断しても、トラックバッファ１７２に蓄積された読み取りデータの表示は継続して行う。ステップ１０２８で、ピックアップアセンブリ１０８を、最後に書き込みを行っていた内側のゾーンに移動して書き込みを再開する。このとき、ディスク１０２の回転速度は一定に維持されているのが好ましいが、書き込み速度さえ適正に維持されていれば、ピックアップアセンブリの移動時、およびディスク１０２からのデータの読み取り時に、ディスクの回転速度を変更してもかまわない。この内側ゾーンでの線速は前回の書き込み時の線速と同じであり、すでに適正な書き込み速度にあるので、ＤＶＤ装置は、ディスク１０２の回転速度を調整する必要はない。入力データの書き込み動作は、ステップ１０３０でトラックバッファ１７２に蓄積されていた読み取りデータが所定レベルに低減するまで（たとえば、ほとんど空の状態になるまで）継続される。
【００６６】
ステップ１０３２で、トラックバッファ１７２の蓄積データが所定レベルに低減する前に内側ゾーンでの書き込みが完了した場合は（ステップ１０３２でＹＥＳ）、ステップ１０３４へ進み、ピックアップアセンブリ１０８をさらに中心寄りの内側ゾーンへと移動して、新たなゾーンの生成を開始する。この場合、ＤＶＤ装置はディスク１０２の角速度を調整して、新たなゾーンでの書き込みが適正な速度（書き込み率）で行われるようにする。そしてステップ１０３０以下の処理を繰り返し、新たなゾーンでの書き込みも、トラックバッファ１７２内のデータ量が所定レベルに低減するまで継続される。
【００６７】
このような読み取りと書き込みの交互の繰り返しは、ＤＶＤ装置がポーズ再開モードにある限りゾーンシーケンスにしたがって継続される。ステップ１０３６でモード再開機能が維持されている場合は（ステップ１０３６でＮＯ）、図１０Ａのステップ１０１４へ戻り、上述した読み取りと書き込み処理を繰り返す。ユーザがポーズ再開モードを終了する場合（ステップ１０３６でＹＥＳ）、あるいはディスクの容量がいっぱいになった場合は、ステップ１０３８でポーズ再開モードを終了して、残りのデータの読み取りを行う。
【００６８】
ディスクの記録領域を複数ゾーンに分割し、データの書き込みを最も外側のゾーンから最も内側のゾーンに向けて行うことにより、内側から外側へ記録するようにフォーマットされた従来のＤＶＤディスクを使用しても、外周側から内周側への記録方法が可能になり、読み取り速度を増大することができる。これにより、従来のＤＶＤディスクでビデオデータを録画する場合でも、ＤＶＤディスクの回転速度を変えることなく、平均ビットレートを向上できる。
【図面の簡単な説明】
【図１】  本発明の改良された操作機能付きリライタブルＤＶＤ装置の一例を示すブロック図である。
【図２】  リライタブルＤＶＤディスク上のスパイラルトラックを説明するための図である。
【図３】  本発明の第１実施形態に係るリライタブルディスクへの記録操作において、ＤＶＤディスクの外周側から内周側へ連続してデータを書き込むプロセスを示す図である。
【図４】  ＤＶＤディスクからデータを読み取るとともに、入力されてくるデータを記録バッファに一時格納する工程を示す図である。
【図５】  先に読み取ったデータをトラックバッファから継続して表示する一方で、ＤＶＤディスクの外側から内側へ記録バッファ内の入力データを書き込むプロセスを示す図である。
【図６】  本発明の第１実施形態に係るポーズ機能により、ＤＶＤディスクの外周側から内周側へ連続的にデータを書込むとともに、書込みを周期的に中断して書き込んだデータを読み取る動作を示すフローチャートである。
【図７】  本発明の第２実施形態に係るリライタブルディスクへの記録操作において、ディスクの最外側ゾーンから最内側のゾーンに向けてゾーンシーケンスにしたがってデータを書き込むプロセスを示す図である。
【図８】  ディスクの最外側のゾーンからデータを読み取るとともに、入力されるデータを一時的に記録バッファに格納するプロセスを示す図である。
【図９】  ディスクの最内側のゾーンにデータを書き込むとともに、先に読み取ったデータをバッファから継続的に表示するプロセスを示す図である。
【図１０Ａ】  本発明の第２実施形態に係るポーズ機能により、ゾーン単位で順次データの書込みと読み取りを繰り返す動作を示すフローチャートである。
【図１０Ｂ】  図１０Ａに引き続く図であり、本発明の第２実施形態に係るポーズ機能の動作を示すフローチャートである。
【図１】
0004695807.tif 000002
【図２】
0004695807.tif 000003
【図３】
0004695807.tif 000004
【図４】
0004695807.tif 000005
【図５】
0004695807.tif 000006
【図６】
0004695807.tif 000007
【図７】
0004695807.tif 000008
【図８】
0004695807.tif 000009
【図９】
0004695807.tif 000010
【図１０Ａ】
0004695807.tif 000011
【図１０Ｂ】
0004695807.tif 000012